(57)【特許請求の範囲】
【請求項１】
一方の側面途上に切り欠かれた方形の溝部を有する略矩形のカードが挿抜される凹部を形成する板状のハウジングと、
このハウジングの凹部を覆うカバー板と、
前記凹部の片翼に配置され、ハート状のカム溝を一方の面に形成するスライド部材であって、前記カードの挿抜方向と平行する方向に進退し、かつ傾動可能な帯板状のスライド部材と、
基端部が前記スライド部材に固定され、前記カードの一方の側面に弾性をもって付勢すると共に、前記カードの溝部に出入り可能なＶ字状に屈曲された屈曲部を有する片持ち状の板ばねと、
前記ハウジングに保持され、前記スライド部材を前記カードが排出される方向に力を付勢する圧縮コイルばねと、
一端部が前記ハート状のカム溝に連結し、他端部が前記ハウジングに回動自在に支持される案内棒と、を備え、
前記スライド部材は、前記凹部の片翼側から当該凹部に突出して前記カードの先端縁に当接する係合爪を有し、
前記凹部の片翼は、
前記圧縮コイルばねに付勢されて前記スライド部材が前記凹部の開口側に停止されると共に、前記板ばねの屈曲部の先端部が前記凹部に突出するように、当該スライド部材を傾斜状態で保持する第１案内溝部と、
この第１案内溝部に連通し、前記板ばねの屈曲部が前記カードの溝部に係合した状態で前記スライド部材の直線運動を確保させる第２案内溝部と、
前記第１案内溝部と前記凹部とを隔てるように、前記凹部の奥側に向かって突出し、前記スライド部材が前記凹部の奥側に移動すると、当該スライド部材の端縁が乗り越えて前記スライド部材の傾斜状態が復帰される隔壁と、を含み、
前記ハート状のカム溝を有する前記スライド部材を動節となるカムとし、前記案内棒を従動節とし、前記スライド部材と前記案内棒とは前記カムと前記従動節が相対変位するカム装置を構成し、
前記案内棒の一端部が前記ハート状のカム溝の頂点に形成されたＶ字溝に係止することにより前記スライド部材が位置固定され、
前記スライド部材が位置固定された当該カードの装着状態から当該カードを挿入方向に押すと、前記案内棒の一端部が前記Ｖ字溝から解放されて帰り行程の軌跡に移動する共に、前記スライド部材が前記圧縮コイルばねに付勢されて前記凹部の開口側に平行移動し、
前記案内棒の一端部が前記帰り行程の軌跡から前記ハート状のカム溝の始点に戻る過程では、当該カードは、前記板ばねの屈曲部が前記カードの溝部に係合している状態を維持しながら前記係合爪に引きずられて前記凹部の開口側に移動し、
前記案内棒の一端部が前記ハート状のカム溝の始点に戻る直前では、前記スライド部材の端縁が前記隔壁の先端部に当接して、当該スライド部材が停止すると共に、前記板ばねの屈曲部が前記カードの溝部に係合して、前記カードの飛び出しが防止され、
前記カードを引っ張ると、前記カードの溝部が前記板ばねの屈曲部の先端部を押すことにより、前記スライド部材を傾動させて前記板ばねの屈曲部を前記カードの溝部から退避させるカード用コネクタ。
【請求項２】
一方の側面途上に切り欠かれた方形の溝部を有する略矩形のカードが挿抜される凹部を形成する板状のハウジングと、
このハウジングの凹部を覆うカバー板と、
前記凹部の片翼に配置され、ハート状のカム溝を一方の面に形成するスライド部材であって、前記カードの挿抜方向と平行する方向に進退し、かつ傾動可能な帯板状のスライド部材と、
基端部が前記スライド部材に固定され、前記カードの一方の側面に弾性をもって付勢すると共に、前記カードの溝部に出入り可能なＶ字状に屈曲された屈曲部を有する片持ち状の板ばねと、
前記ハウジングに保持され、前記スライド部材を前記カードが排出される方向に力を付勢する圧縮コイルばねと、
一端部が前記ハート状のカム溝に連結し、他端部が前記ハウジングに回動自在に支持される案内棒と、を備え、
前記スライド部材は、前記凹部の片翼側から当該凹部に突出して前記カードの先端縁に当接する係合爪を有し、
前記凹部の片翼は、
前記圧縮コイルばねに付勢されて前記スライド部材が前記凹部の開口側に停止されると共に、前記板ばねの屈曲部の先端部が前記凹部に突出するように、当該スライド部材を傾斜状態で保持する第１案内溝部と、
この第１案内溝部に連通し、前記板ばねの屈曲部が前記カードの溝部に係合した状態で前記スライド部材の直線運動を確保させる第２案内溝部と、
前記第１案内溝部と前記凹部とを隔てるように、前記凹部の奥側に向かって突出し、前記スライド部材が前記凹部の奥側に移動すると、当該スライド部材の端縁が乗り越えてスライド部材の傾斜状態が復帰される隔壁と、を含み、
前記ハート状のカム溝を有する前記スライド部材を動節となるカムとし、前記案内棒を従動節とし、前記スライド部材と前記案内棒とは前記カムと前記従動節が相対変位するカム装置を構成し、
前記案内棒の一端部が前記ハート状のカム溝の始点に係止しているときは、前記板ばねの屈曲部の先端部が前記凹部に突出するように配置され、
前記カードを前記凹部に挿入すると、当該カードの先端縁が前記係合爪に当接し、
前記カードを更に挿入すると、前記スライド部材の端縁が前記隔壁を乗り越えて、前記スライド部材の傾斜状態が復帰されると共に、前記板ばねの屈曲部が当該カードの溝部に入り込み、前記圧縮コイルばねの付勢力に抗して、前記スライド部材が挿入方向に平行移動するのに連動して前記案内棒の一端部が前記ハート状のカム溝の行き行程を移動し、
前記案内棒の一端部が前記ハート状のカム溝の頂点に形成されたＶ字溝に係止することにより前記スライド部材が位置固定され、前記板ばねの屈曲部が前記カードの溝部に入り込んでいることにより前記カードの装着状態が維持されるカード用コネクタ。
【請求項３】
前記カバー板は、前記ハウジングの凹部の底面と対向するように配置された主面板と、
この主面板の両翼が略直角に屈折されて、前記ハウジングの両側面を覆う一対の折り曲げ片と、を有し、
前記主面板は、
前記カードが前記ハウジングの凹部の底面に向かう力を付勢する一つ以上の第１板ばね片と、
前記案内棒の一端部が前記ハート状のカム溝の底面に当接する力を付勢する第２板ばね片と、を有し、
一方の前記折り曲げ片は、前記スライド部材の傾斜状態を復帰させる力を付勢する第３板ばね片を有する請求項１又は２記載のカード用コネクタ。
【発明の詳細な説明】
【技術分野】
【０００１】
本発明は、カード用コネクタに関する。特に、カードとプリント基板を電気的に接続するカード用コネクタであって、プッシュ・プッシュ型のイジェクト機構を備えるカード用コネクタの構造に関する。
【背景技術】
【０００２】
カード型の記憶装置であるメモリカードは、記憶媒体としてフラッシュメモリを採用している。メモリカードは非常に小型であり、データの読み書きにほとんど電力を消費しないため、例えば、携帯電話機やＰＤＡ（Ｐｅｒｓｏｎａｌ  Ｄｉｇｉｔａｌ  Ａｓｓｉｓｔａｎｃｅ）に代表される携帯型情報機器用の記録メディアとして普及している。
【０００３】
一般に、カード用コネクタは、プリント基板に実装されている。又、カードの一方の面上には、複数の接続端子が露出している。そして、カード用コネクタに備わるベローズ形のコンタクトがこれらの接続端子を付勢することにより、カードとプリント基板とを電気的に接続している。
【０００４】
このカード用コネクタとしては、カードをコネクタの内部に押し込むとカードがロックされ、カードを再度押込むとロックが解除されて、カードをコネクタから排出可能なプッシュ・プッシュ型のイジェクト機構を備えたカード用コネクタが開示されている（例えば、特許文献１参照）。
【０００５】
特許文献１によるカード用コネクタは、カードと共に進退する帯板状のスライド部材をカードの厚さ方向に重なるように配置しているので、コネクタの外形を小型化でき、これにより、プリント基板への実装面積を縮小できる、としている。
【先行技術文献】
【特許文献】
【０００６】
【特許文献１】特開２００４−１７８９０３号公報
【発明の概要】
【発明が解決しようとする課題】
【０００７】
特許文献１によるカード用コネクタは、カードの一方の側面に設けた溝部に係合するベローズ形の板ばねをスライド部材に取り付けている。特許文献１によるカード用コネクタは、圧縮コイルばねに付勢されたスライド部材がカードを排出方向に移動させている。スライド部材の停止位置では、板ばねの先端部がカードの溝部に係合しているので、カードの飛び出しを防止できる、としている。そして、板ばねの先端部を乗り越える強い力でカードを引き抜くことにより、カードをコネクタから取り出すことができる、としている。
【０００８】
しかしながら、特許文献１によるカード用コネクタは、板ばねの先端部の付勢力（ばね圧）が強いと、カードを引き抜くときに、カードを覆うカバーでカードの表面を傷つけるおそれがあるという問題がある。一方、板ばねの先端部の付勢力（ばね圧）を弱くすると、カードが飛び出してしまうおそれがあるという問題がある。
【０００９】
カードが不用意に飛び出すことなく、排出方向に確実に停止すると共に、カードの表面を傷つけることなく、カードを取り出せるカード用コネクタが求められている。そして、以上のことが本発明の課題といってよい。
【００１０】
本発明は、このような問題に鑑みてなされたものであり、カードが不用意に飛び出すことなく、排出方向に確実に停止すると共に、カードの表面を傷つけることなく、カードを取り出せるカード用コネクタを提供することを目的とする。
【課題を解決するための手段】
【００１１】
本発明者は、スライド部材に設けた板ばねの屈曲部がカードの溝部に係合して、カードの飛び出しが防止されると共に、カードを比較的弱い力で引っ張ると、前記カードの溝部が前記板ばねの屈曲部の先端部を押すことにより、前記スライド部材を傾動させて前記板ばねの屈曲部を前記カードの溝部から退避させ、上記の課題が解決できることを見出し、これに基づいて、以下のような新たなカード用コネクタを発明するに至った。
【００１２】
（１）  一方の側面途上に切り欠かれた方形の溝部を有する略矩形のカードが挿抜される凹部を形成する板状のハウジングと、このハウジングの凹部を覆うカバー板と、前記凹部の片翼に配置され、ハート状のカム溝を一方の面に形成するスライド部材であって、前記カードの挿抜方向と平行する方向に進退し、かつ傾動可能な帯板状のスライド部材と、基端部が前記スライド部材に固定され、前記カードの一方の側面に弾性をもって付勢すると共に、前記カードの溝部に出入り可能なＶ字状に屈曲された屈曲部を有する片持ち状の板ばねと、前記ハウジングに保持され、前記スライド部材を前記カードが排出される方向に力を付勢する圧縮コイルばねと、一端部が前記ハート状のカム溝に連結し、他端部が前記ハウジングに回動自在に支持される案内棒と、を備え、前記スライド部材は、前記凹部の片翼側から当該凹部に突出して前記カードの先端縁に当接する係合爪を有し、前記凹部の片翼は、前記圧縮コイルばねに付勢されて前記スライド部材が前記凹部の開口側に停止されると共に、前記板ばねの屈曲部の先端部が前記凹部に僅かに突出するように、当該スライド部材を傾斜状態で保持する第１案内溝部と、この第１案内溝部に連通し、前記板ばねの屈曲部が前記カードの溝部に係合した状態で前記スライド部材の直線運動を確保させる第２案内溝部と、前記第１案内溝部と前記凹部とを隔てるように、前記凹部の奥側に向かって僅かに突出し、前記スライド部材が前記凹部の奥側に移動すると、当該スライド部材の端縁が乗り越えて前記スライド部材の傾斜状態が復帰される隔壁と、を含み、前記ハート状のカム溝を有する前記スライド部材を動節となるカムとし、前記案内棒を従動節とし、前記スライド部材と前記案内棒とは前記カムと前記従動節が相対変位するカム装置を構成し、前記案内棒の一端部が前記ハート状のカム溝の頂点に形成されたＶ字溝に係止することにより前記スライド部材が位置固定され、前記スライド部材が位置固定された当該カードの装着状態から当該カードを挿入方向に押すと、前記案内棒の一端部が前記Ｖ字溝から解放されて帰り行程の軌跡に移動する共に、前記スライド部材が前記圧縮コイルばねに付勢されて前記凹部の開口側に平行移動し、前記案内棒の一端部が前記帰り行程の軌跡から前記ハート状のカム溝の始点に戻る過程では、当該カードは、前記板ばねの屈曲部が前記カードの溝部に係合している状態を維持しながら前記係合爪に引きずられて前記凹部の開口側に移動し、前記案内棒の一端部が前記ハート状のカム溝の始点に戻る直前では、前記スライド部材の端縁が前記隔壁の先端部に当接して、当該スライド部材が停止すると共に、前記板ばねの屈曲部が前記カードの溝部に係合して、前記カードの飛び出しが防止され、前記カードを比較的弱い力で引っ張ると、前記カードの溝部が前記板ばねの屈曲部の先端部を押すことにより、前記スライド部材を傾動させて前記板ばねの屈曲部を前記カードの溝部から退避させるカード用コネクタ。
【００１３】
（１）の発明によるカード用コネクタは、板状のハウジングとカバー板を備えている。ハウジングは、略矩形のカードが挿抜される凹部を形成している。このカードは、一方の側面途上に切り欠かれた方形の溝部を有している。カバー板は、ハウジングの凹部を覆っている。
【００１４】
又、（１）の発明によるカード用コネクタは、帯板状のスライド部材と片持ち状の板ばねを備えている。スライド部材は、凹部の片翼に配置され、ハート状のカム溝を一方の面に形成している。スライド部材は、カードの挿抜方向と平行する方向に進退し、かつ傾動可能となっている。板ばねは、基端部がスライド部材に固定されている。板ばねは、カードの一方の側面に弾性をもって付勢すると共に、カードの溝部に出入り可能なＶ字状に屈曲された屈曲部を有している。
【００１５】
更に、（１）の発明によるカード用コネクタは、圧縮コイルばねと案内棒を備えている。圧縮コイルばねは、ハウジングに保持され、スライド部材をカードが排出される方向に力を付勢している。案内棒は、その一端部がハート状のカム溝に連結している。又、案内棒は、その他端部がハウジングに回動自在に支持されている。
【００１６】
スライド部材は、係合爪を有している。係合爪は、凹部の片翼側から凹部に突出して、カードの先端縁に当接できる。
【００１７】
凹部の片翼は、第１案内溝部、第２案内溝部、及び隔壁を含んでいる。第１案内溝部には、圧縮コイルばねに付勢されて、スライド部材が凹部の開口側に停止される。又、第１案内溝部は、板ばねの屈曲部の先端部が凹部に僅かに突出するように、スライド部材を傾斜状態で保持する。第２案内溝部は、第１案内溝部に連通している。又、第２案内溝部は、板ばねの屈曲部がカードの溝部に係合した状態で、スライド部材の直線運動を確保させる。
【００１８】
隔壁は、第１案内溝部と凹部とを隔てるように、凹部の奥側に向かって僅かに突出している。スライド部材が凹部の奥側に移動すると、スライド部材の端縁が隔壁を乗り越えてスライド部材の傾斜状態が復帰される。
【００１９】
ハート状のカム溝を有するスライド部材を動節となるカムとし、案内棒を従動節とし、スライド部材と案内棒とは、カムと従動節が相対変位するカム装置を構成している。そして、案内棒の一端部がハート状のカム溝の頂点に形成されたＶ字溝に係止することによりスライド部材が位置固定される。
【００２０】
スライド部材が位置固定されたカードの装着状態からカードを挿入方向に押すと、案内棒の一端部がＶ字溝から解放されて帰り行程の軌跡に移動する。そして、スライド部材が圧縮コイルばねに付勢されて、凹部の開口側に平行移動する。
【００２１】
案内棒の一端部がハート状のカム溝の始点に戻る直前では、スライド部材の端縁が隔壁の先端部に当接して、スライド部材が停止すると共に、板ばねの屈曲部がカードの溝部に係合して、カードの飛び出しが防止される。
【００２２】
カードを比較的弱い力で引っ張ると、カードの溝部が板ばねの屈曲部の先端部を押すことにより、スライド部材を傾動させて板ばねの屈曲部をカードの溝部から退避させる。
【００２３】
ハウジングは、絶縁性を有している。絶縁性のハウジングとは、非導電性の材料からなるハウジングのことであってよく、非導電性の合成樹脂を成形して、所望の形状のハウジングを得ることができる。
【００２４】
ハウジングの凹部には、複数のコンタクトを並設配置してよく、このコネクタが実装されるプリント基板とカードとを電気的に接続できる。コンタクトは導電性を有しており、導電性の金属板を打ち抜き加工又は折り曲げ加工して、所望の形状の導電性のコンタクトを得ることができる。コンタクトは、加工の容易性や、ばね特性、導電性などを考慮すれば、例えば、銅合金が好ましく用いられるが、銅合金に限定される訳ではない。
【００２５】
一般に、カードは、絶縁性のプラスチック筐体の内部にＩＣチップが収納されている。このＩＣチップは、筐体の表面に貼り付けられた複数の金属箔に接続されている。そして、並設配置された複数の金属箔がカードの接続端子となっている。ここで、個別のコンタクトは、個別の接続端子と一対一に接続されてよく、機械的及び電気的に接続する。
【００２６】
コンタクトは、ばねの働きが片持ち梁であるカンチレバーコンタクトが好ましく用いられる。コンタクトは、弾性アームと固定アームで構成されてよく、弾性アームは、凹部の底面から突出して、カードに形成された接続端子に接触する接点を設けてよく、固定アームは、凹部に圧入して固定することができる。リード部を固定アームの端部に形成してもよく、このリード部をプリント基板にはんだ接合することにより、このカード用コネクタを表面実装用コネクタとすることができる。
【００２７】
ハウジングは、対向する一対の側壁と、一対の側壁と直交してカードの先端縁が当接する停止壁を有してよく、一対の側壁と停止壁で囲われた薄直方体状の空間を「カードが挿抜される凹部」と規定できる。又、カード保持部とすることもできる。そして、この凹部がカバー板で覆われることにより、停止壁と対向してカードが挿入される長方形の開口が形成される。対向する一対の側壁の距離は、カードの幅よりも僅かに広く、一対の側壁によりカードの姿勢（傾き）が規制され、カードの接続端子とコンタクトとが正しく位置合わせできる。
【００２８】
カバー板は、金属薄板からなり、展開された金属薄板を成形加工することにより、所望の形状のカバー板を得ることができる。カバー板は、導電性の金属薄板からなることが好ましく、カバー板がハウジングを覆うことにより、シールド（電磁遮蔽）の効果を得ることができる。
【００２９】
カバー板は、両翼が直角に折り曲げ加工されてよく、これらの折り曲げ片に矩形穴を形成し、ハウジングの両側面に突出するランスに係止するようにしてもよい。又、プリント基板にはんだ接合されるリード片をカバー板に設けてよく、プリント基板との接合強度を補強でき、リード片をプリント基板のグラウンドに接地することもできる。
【００３０】
スライド部材は、凹部の一方の片翼に配置されている。凹部の片翼には、スライド部材を移動可能に案内する第２案内溝部を設けている。そして、スライド部材は、第２案内溝部に規制されて、カードの挿抜方向と平行する方向に進退できる。スライド部材は、第２案内溝部の領域内では、進退する直線運動のみが許容される。
【００３１】
なお、スライド部材の側壁は、部分的には、カードの姿勢（傾き）を規制する一方の側壁として機能でき、カードの姿勢（傾き）を規制する他方の側壁は、カバー板に設けた他方の折り曲げ片が代行することもできる。
【００３２】
例えば、スライド部材の端部には、圧縮コイルばねの一部を保持する円筒穴が穿設される。一方、ハウジングには、円筒穴に対向し、圧縮コイルばねの内部に入る棒状突起が形成される。そして、圧縮コイルばねの両コイル端部を円筒穴と棒状突起との間に装架することにより、スライド部材をカードが排出される方向に力を付勢することができる。カードが凹部に挿入されない状態では、スライド部材は、圧縮コイルばねに付勢されて、傾斜した状態で、凹部の開口側（第１案内溝部）に停止している。
【００３３】
案内棒の両端部は、略直角に屈折されてよく、案内棒の一端部がスライド部材の一方の面（表面）に穿設されたハート状のカム溝に連結する。一方、案内棒の他端部は、第１案内溝部の近傍に形成された穴に挿入され、回動自在に支持される。そして、案内棒の一端部は、ハート状のカム溝に従動する。
【００３４】
ハート状のカム溝を有するスライド部材を動節となるカムとし、案内棒を従動節とすれば、スライド部材と案内棒とは、カムと従動節が相対変位するカム装置を構成していると言える。又、ハート状のカム溝は、ハート状の軌跡を描く平面曲線のみならず、ハート状のカム溝の底面が段差又は斜面となる連続軌跡を含む空間曲線となっている。スライド部材と案内棒は、いわゆる立体カム装置を構成できる。
【００３５】
更に、ハート状のカム溝は、始点からの行き行程の軌跡と始点に戻る帰り行程の軌跡とを描いている。ハート状のカム溝の軌跡は、案内棒の一端部が部分的に逆行することはあっても、全行程において案内棒の一端部が逆行しない不可逆の連続軌跡を描いている。実体として、ハート状のカム溝は、行き行程の軌跡と帰り行程の軌跡の分岐点に、Ｖ字状に陥没するＶ字溝が形成されている。案内棒の一端部がこのＶ字溝に係止することにより、圧縮コイルばねに付勢されて、カードの装着位置でスライド部材をロックできる。ハート状のカム溝と案内棒で構成するカム装置は、スライド部材の停止位置を規定すると言うこともできる。
【００３６】
板ばねは、基端部をスライド部材に圧入して固定できる。板ばねは、Ｖ字状に屈曲された屈曲部が凹部に向かって突出するようにスライド部材に配置されている。そして、板ばねとスライド部材とは、一体となって進退する。板ばねは、ばねの働きが片持ち梁であってよく、カードが進退する方向と直交する方向に荷重が作用することによってのみ、弾性変形するように構成されている。
【００３７】
カードをハウジングの凹部に挿入すると、カードの先端縁が係合爪に当接する。更に、カードを挿入すると、スライド部材は、ハウジングの凹部の奥方向に移動する。そして、案内棒の一端部がＶ字溝に係止して、カードの装着位置で、スライド部材がハウジングにロックされる。カードの装着位置では、板ばねの屈曲部がカードの溝部に弾性をもって係止しているので、カードの装着状態を確実に維持できる。
【００３８】
カードの装着状態から、カードを一旦押すと、案内棒の一端部は、Ｖ字溝から解放されて、帰り行程に移動する。そして、圧縮コイルばねに付勢されて、スライド部材は、カードを凹部の開口側に移動させる。なお、スライド部材の帰り行程では、カードの挿抜方向と平行する方向に移動する運動が維持される。
【００３９】
案内棒の一端部がハート状のカム溝の始点に戻る直前では、スライド部材の端縁が隔壁の先端部に当接して、スライド部材が停止すると共に、板ばねの屈曲部がカードの溝部に係合して、カードの飛び出しが防止される。
【００４０】
カードを比較的弱い力で引っ張ると、カードの溝部が板ばねの屈曲部の先端部を押すことにより、スライド部材を傾動させて板ばねの屈曲部をカードの溝部から退避させる。つまり、スライド部材を第１案内溝部に保持された初期の傾動状態に戻すことができる。そして、カードをコネクタから取り出すことができる。
【００４１】
（１）の発明によるカード用コネクタは、カードが不用意に飛び出すことなく、排出方向に確実に停止できる。又、（１）の発明によるカード用コネクタは、板ばねがカードの板厚方向に力を付勢しているので、カードの表面を傷つけることを抑制できる。
【００４２】
（２）  一方の側面途上に切り欠かれた方形の溝部を有する略矩形のカードが挿抜される凹部を形成する板状のハウジングと、このハウジングの凹部を覆うカバー板と、前記凹部の片翼に配置され、ハート状のカム溝を一方の面に形成するスライド部材であって、前記カードの挿抜方向と平行する方向に進退し、かつ傾動可能な帯板状のスライド部材と、基端部が前記スライド部材に固定され、前記カードの一方の側面に弾性をもって付勢すると共に、前記カードの溝部に出入り可能なＶ字状に屈曲された屈曲部を有する片持ち状の板ばねと、前記ハウジングに保持され、前記スライド部材を前記カードが排出される方向に力を付勢する圧縮コイルばねと、一端部が前記ハート状のカム溝に連結し、他端部が前記ハウジングに回動自在に支持される案内棒と、を備え、前記スライド部材は、前記凹部の片翼側から当該凹部に突出して前記カードの先端縁に当接する係合爪を有し、前記凹部の片翼は、前記圧縮コイルばねに付勢されて前記スライド部材が前記凹部の開口側に停止されると共に、前記板ばねの屈曲部の先端部が前記凹部に僅かに突出するように、当該スライド部材を傾斜状態で保持する第１案内溝部と、この第１案内溝部に連通し、前記板ばねの屈曲部が前記カードの溝部に係合した状態で前記スライド部材の直線運動を確保させる第２案内溝部と、前記第１案内溝部と前記凹部とを隔てるように、前記凹部の奥側に向かって僅かに突出し、前記スライド部材が前記凹部の奥側に移動すると、当該スライド部材の端縁が乗り越えてスライド部材の傾斜状態が復帰される隔壁と、を含み、前記ハート状のカム溝を有する前記スライド部材を動節となるカムとし、前記案内棒を従動節とし、前記スライド部材と前記案内棒とは前記カムと前記従動節が相対変位するカム装置を構成し、前記案内棒の一端部が前記ハート状のカム溝の始点に係止しているときは、前記板ばねの屈曲部の先端部が前記凹部に僅かに突出するように配置され、前記カードを前記凹部に挿入すると、当該カードの先端縁が前記係合爪に当接し、前記カードを更に挿入すると、前記スライド部材の端縁が前記隔壁を乗り越えて、前記スライド部材の傾斜状態が復帰されると共に、前記板ばねの屈曲部が当該カードの溝部に入り込み、前記圧縮コイルばねの付勢力に抗して、前記スライド部材が挿入方向に平行移動するのに連動して前記案内棒の一端部が前記ハート状のカム溝の行き行程を移動し、前記案内棒の一端部が前記ハート状のカム溝の頂点に形成されたＶ字溝に係止することにより前記スライド部材が位置固定され、前記板ばねの屈曲部が前記カードの溝部に入り込んでいることにより前記カードの装着状態が維持されるカード用コネクタ。
【００４３】
（２）の発明によるカード用コネクタは、案内棒の一端部がハート状のカム溝の始点に係止しているときは、板ばねの屈曲部の先端部が凹部に僅かに突出するように配置されている。カードを凹部に挿入すると、カードの先端縁が係合爪に当接する。
【００４４】
カードを更に挿入すると、スライド部材の端縁が隔壁を乗り越えて、前記スライド部材の傾斜状態が復帰されると共に、板ばねの屈曲部がカードの溝部に入り込む。そして、圧縮コイルばねの付勢力に抗して、スライド部材が挿入方向に平行移動するのに連動して、案内棒の一端部がハート状のカム溝の行き行程を移動する。
【００４５】
案内棒の一端部がハート状のカム溝の頂点に形成されたＶ字溝に係止することにより、スライド部材が位置固定される。そして、板ばねの屈曲部がカードの溝部に入り込んでいることにより、カードの装着状態が維持される。このようにして、（２）の発明によるカード用コネクタは、カードをロックできる。
【００４６】
（３）  前記カバー板は、前記ハウジングの凹部の底面と対向するように配置された主面板と、この主面板の両翼が略直角に屈折されて、前記ハウジングの両側面を覆う一対の折り曲げ片と、を有し、前記主面板は、前記カードが前記ハウジングの凹部の底面に向かう力を付勢する一つ以上の第１板ばね片と、前記案内棒の一端部が前記ハート状のカム溝の底面に当接する力を付勢する第２板ばね片と、を有し、一方の前記折り曲げ片は、前記スライド部材の傾斜状態を復帰させる力を付勢する第３板ばね片を有する（１）又は（２）記載のカード用コネクタ。
【００４７】
（３）の発明によるカード用コネクタは、カバー板が主面板と一対の折り曲げ片を有している。主面板は、ハウジングの凹部の底面と対向するように配置されている。一対の折り曲げ片は、主面板の両翼が略直角に屈折されて、ハウジングの両側面を覆っている。
【００４８】
主面板は、一つ以上の第１板ばね片と第２板ばね片を有している。第１板ばね片は、カードがハウジングの凹部の底面に向かう力を付勢している。第２板ばね片は、案内棒の一端部がハート状のカム溝の底面に当接する力を付勢している。一方の折り曲げ片は、第３板ばね片を有している。第３板ばね片は、スライド部材の傾斜状態を復帰させる力を付勢している。
【００４９】
第１板ばね片は、カードの接続端子がコンタクトの接点に向かう力を援助している。第２板ばね片は、案内棒の一端部がハート状のカム溝に確実に追従していく力を援助している。第３板ばね片は、スライド部材の動作（姿勢）を援助している。
【発明の効果】
【００５０】
本発明によるカード用コネクタは、カードが不用意に飛び出すことなく、排出方向に確実に停止できる。又、本発明によるカード用コネクタは、板ばねがカードの板厚方向に力を付勢しているので、カードの表面を傷つけることを抑制できる。
【図面の簡単な説明】
【００５１】
【図１】本発明の一実施形態によるカード用コネクタの構成を示す斜視図であり、カードを挿入した状態図である。
【図２】前記実施形態によるカード用コネクタの斜視図であり、カードを対向配置した状態図である。
【図３】前記実施形態によるカード用コネクタの斜視図であり、カードを挿入した状態でカバーを取り外した状態図である。
【図４】前記実施形態によるカード用コネクタの斜視図であり、カバーを取り外した状態図である。
【図５】前記実施形態によるカード用コネクタの斜視図であり、カードを挿入した状態を下面側から観ている。
【図６】前記実施形態によるカード用コネクタを下面側から観た斜視図であり、カードを対向配置した状態図である。
【図７】前記実施形態によるカード用コネクタの平面図である。
【図８】前記実施形態によるカード用コネクタの横断面図である。
【図９】前記実施形態によるカード用コネクタの斜視分解組立図である。
【図１０】前記実施形態によるカード用コネクタの横断面図であり、図１０（Ａ）〜図１０（Ｆ）は、カードの装着に至る状態変化図である。
【図１１】前記実施形態によるカード用コネクタの横断面図であり、図１１（Ｇ）・図１１（Ｈ）は、図１０（Ｆ）に続く、カードの装着に至る状態変化図である。
【図１２】前記実施形態によるカード用コネクタの横断面図であり、図１２（Ａ）〜図１２（Ｅ）は、カードの排出に至る状態変化図である。
【図１３】前記実施形態によるカード用コネクタの横断面図であり、図１３（Ｆ）・図１３（Ｇ）は、図１２（Ｅ）に続く、カードの排出に至る状態変化図である。
【発明を実施するための形態】
【００５２】
以下、図面を参照して本発明を実施するための形態を説明する。
【００５３】
［カード用コネクタの構成］
最初に、本発明の一実施形態によるカード用コネクタの構成を説明する。図１は、本発明の一実施形態によるカード用コネクタの構成を示す斜視図であり、カードを挿入した状態図である。図２は、前記実施形態によるカード用コネクタの斜視図であり、カードを対向配置した状態図である。
【００５４】
図３は、前記実施形態によるカード用コネクタの斜視図であり、カードを挿入した状態でカバーを取り外した状態図である。図４は、前記実施形態によるカード用コネクタの斜視図であり、カバーを取り外した状態図である。図５は、前記実施形態によるカード用コネクタの斜視図であり、カードを挿入した状態を下面側から観ている。
【００５５】
図６は、前記実施形態によるカード用コネクタを下面側から観た斜視図であり、カードを対向配置した状態図である。図７は、前記実施形態によるカード用コネクタの平面図である。図８は、前記実施形態によるカード用コネクタの横断面図である。図９は、前記実施形態によるカード用コネクタの斜視分解組立図である。
【００５６】
図１から図６を参照すると、本発明の一実施形態によるカード用コネクタ（以下、コネクタと略称する）１０は、板状のハウジング２とカバー板３を備えている。ハウジング２は、略矩形のカード１が挿抜される凹部２１を形成している。カード１は、一方の側面１１の途上に切り欠かれた方形の溝部１ａを有している。カバー板３は、ハウジング２の凹部２１を覆っている。
【００５７】
又、図１から図９を参照すると、コネクタ１０は、帯板状のスライド部材４と片持ち状の板ばね５を備えている。スライド部材４は、凹部２１の片翼に配置され、ハート状のカム溝４ａを一方の面に形成している。スライド部材４は、カード１の挿抜方向と平行する方向に進退し、かつ傾動可能となっている。板ばね５は、基端部がスライド部材４に固定されている。板ばね５は、カード１の一方の側面１１に弾性をもって付勢すると共に、カード１の溝部１ａに出入り可能なＶ字状に屈曲された屈曲部５ａを有している。
【００５８】
更に、図１から図９を参照すると、コネクタ１０は、圧縮コイルばね６と案内棒７を備えている。圧縮コイルばね６は、ハウジング２に保持され、スライド部材４をカード１が排出される方向に力を付勢している。案内棒７は、その一端部７ａがハート状のカム溝４ａに連結している。又、案内棒７は、その他端部７ｂがハウジング２に回動自在に支持されている。
【００５９】
図７から図９を参照すると、凹部２１の片翼は、第１案内溝部２１ｇ、第２案内溝部２２ｇ、及び隔壁２３ｇを含んでいる。第１案内溝部２１ｇには、圧縮コイルばね６に付勢されて、スライド部材４が凹部２１の開口側に停止される。又、第１案内溝部２１ｇは、板ばね５の屈曲部５ａの先端部が凹部２１に僅かに突出するように、スライド部材４を傾斜状態で保持する。第２案内溝部２２ｇは、第１案内溝部２１ｇに連通している。又、第２案内溝部２２ｇは、板ばね５の屈曲部５ａがカード１の溝部１ａに係合した状態で、スライド部材４の直線運動を確保させる。
【００６０】
図７から図９を参照すると、実体として、第１案内溝部２１ｇ及び第２案内溝部２２ｇと凹部２１とは、四角柱状に延びるガイド２４ｇによって、区画されている。そして、スライド部材４は、その側壁４２がガイド２４ｇに案内されて、スライド部材４の直線運動が確保できる。なお、第２案内溝部２２ｇの一部の領域内では、スライド部材４は傾動することもできる。
【００６１】
図７から図９を参照すると、隔壁２３ｇは、第１案内溝部２１ｇと凹部２１とを隔てるように、凹部２１の奥側に向かって僅かに突出している。スライド部材４が凹部２１の奥側に移動すると、スライド部材４の端縁４１が隔壁２３ｇを乗り越えてスライド部材４の傾斜状態が復帰される。
【００６２】
図１から図９を参照すると、ハウジング２の凹部２１には、複数のコンタクト８を並設配置している。これらのコンタクト８は、コネクタ１０が実装されるプリント基板１ｐとカード１とを電気的に接続できる。
【００６３】
図４又は図６を参照すると、カード１は、絶縁性のプラスチック筐体の内部にＩＣチップ（図示せず）が収納されている。このＩＣチップは、筐体の表面に貼り付けられた複数の金属箔に接続されている。そして、並設配置された複数の金属箔がカード１の接続端子１ｂとなっている。個別のコンタクト８は、個別の接続端子１ｂと一対一に接続されてよく、機械的及び電気的に接続する。
【００６４】
図４から図９を参照すると、コンタクト８は、ばねの働きが片持ち梁であるカンチレバーコンタクトを用いている。コンタクト８は、弾性アームと固定アームで構成され、弾性アームは、凹部２１の底面から突出して、カード１に形成された接続端子１ｂに接触する接点を設けている。固定アームは、凹部２１に圧入して固定している。コンタクト８は、固定アームの端部にリード部８ｒを形成しており、リード部８ａをプリント基板１ｐにはんだ接合することにより、実施形態によるコネクタ１０を表面実装用コネクタとすることができる。
【００６５】
図４から図９を参照すると、ハウジング２は、対向する一対の側壁２２・２３と、一対の側壁２２・２３と直交してカード１の先端縁１３が当接する停止壁２４を有している。一対の側壁２２・２３と停止壁２４で囲われた薄直方体状の空間を「カード１が挿抜される凹部２１」と規定できる。又、カード保持部とすることもできる。
【００６６】
図４から図９を参照すると、ハウジング２の凹部２１がカバー板３で覆われることにより、停止壁２４と対向してカード１が挿入される長方形の開口２５が形成される。対向する一対の側壁２２・２３の距離は、カード１の幅よりも僅かに広く、一対の側壁２２・２３によりカード１の姿勢が規制され、カード１の接続端子１ｂとコンタクト８とが正しく位置合わせできる。
【００６７】
図１から図６を参照すると、カバー板３は、主面板３１の両翼が直角に折り曲げ加工されている。そして、カバー板３は、一対の折り曲げ片３２・３２に複数の矩形穴３２ｈを開口している。これらの矩形穴３２ｈは、ハウジング２の一対の側壁２２・２３に突出するランス２ｒに係止できる。
【００６８】
又、図１から図６を参照すると、カバー板３は、プリント基板１ｐにはんだ接合される複数のリード片３ｒを設けている。これらのリード片３ｒがプリント基板１ｐにはんだ接合されることにより、プリント基板１ｐとの接合強度を補強でき、これらのリード片３ｒをプリント基板１ｐのグラウンドに接地することもできる。
【００６９】
図４から図９を参照すると、スライド部材４は、凹部２１の一方の片翼に配置されている。凹部２１の片翼には、スライド部材４を移動可能に案内する第２案内溝部２２ｇを設けている。そして、スライド部材４は、第２案内溝部２２ｇに規制されて、カード１の挿抜方向と平行する方向に進退できる。スライド部材４は、第２案内溝部２２ｇの領域内では、進退する直線運動のみが許容されている。
【００７０】
図４から図９を参照すると、スライド部材４の側壁４２は、部分的には、カード１の姿勢（傾き）を規制する一方の側壁として機能でき、カード１の姿勢（傾き）を規制する他方の側壁は、カード１の他方の側面１２を案内する、カバー板３に設けた他方の折り曲げ片３３が代行している（図１から図４参照）。
【００７１】
図７から図９を参照すると、スライド部材４の端部には、圧縮コイルばね６の一部を保持する円筒穴４ｈが穿設されている。一方、ハウジング２には、円筒穴４ｈに対向し、圧縮コイルばね６の内部に入る棒状突起２ｔが形成されている。
【００７２】
図７から図９を参照すると、圧縮コイルばね６の両コイル端部を円筒穴４ｈと棒状突起２ｔとの間に装架することにより、スライド部材４をカード１が排出される方向に力を付勢することができる。カード１が凹部２１に挿入されない状態では、スライド部材４は、圧縮コイルばね６に付勢されて、傾斜した状態で、凹部２１の開口２５側（第１案内溝部２１ｇ）に停止している。
【００７３】
図４から図９を参照すると、スライド部材４は、凹部２１の片翼側から凹部に向かって突出した係合爪４ｂを有している。係合爪４ｂは、カード１の先端縁１３に当接できる。カード１を凹部２１に挿入すると、カード１の先端縁１３が係合爪４ｂに当接して、スライド部材４を凹部２１の奥側に移動できる。一方、係合爪４ｂは、カード１の先端縁１３に当接して、カード１を排出する方向に移動できる。
【００７４】
図７から図９を参照すると、案内棒７の両端部は、略直角に屈折されている。案内棒７の一端部７ａは、スライド部材４の一方の面（表面）に穿設されたハート状のカム溝４ａに連結している。一方、案内棒７の他端部７ｂは、第１案内溝部２１ｇの近傍に形成された穴２１ｈに挿入され、回動自在に支持されている。そして、案内棒７の一端部７ａは、ハート状のカム溝４ａに従動できる。
【００７５】
図３又は図４及び図７を参照すると、ハート状のカム溝４ａを有するスライド部材４を動節となるカムとし、案内棒７を従動節とすれば、スライド部材４と案内棒７とは、カムと従動節が相対変位するカム装置を構成している。又、ハート状のカム溝４ａは、ハート状の軌跡を描く平面曲線のみならず、ハート状のカム溝４ａの底面が段差又は斜面となる連続軌跡を含む空間曲線となっている。スライド部材４と案内棒７は、いわゆる立体カム装置を構成している。
【００７６】
図７を参照すると、ハート状のカム溝４ａは、始点４ｓからの行き行程の軌跡Ａ１と始点に戻る帰り行程の軌跡Ａ２とを描いている。ハート状のカム溝４ａの軌跡は、案内棒７の一端部７ａが部分的に逆行することはあっても、全行程において案内棒７の一端部７ａが逆行しない不可逆の連続軌跡を描いている。
【００７７】
図７を参照すると、ハート状のカム溝４ａは、行き行程の軌跡Ａ１と帰り行程の軌跡Ａ２の分岐点に、Ｖ字状に陥没するＶ字溝４ｖを形成している。案内棒７の一端部７ａがＶ字溝４ｖに係止することにより、圧縮コイルばね６に付勢されて、カード１の装着位置でスライド部材４をロックできる。ハート状のカム溝４ａと案内棒７で構成するカム装置は、スライド部材４の一方の停止位置を規定している。
【００７８】
図７から図９を参照すると、板ばね５は、基端部をスライド部材４に圧入して固定している。板ばね５は、Ｖ字状に屈曲された屈曲部５ａが凹部２１に向かって突出するようにスライド部材４に配置されている。板ばね５とスライド部材４は、一体となって進退する。板ばね５は、ばねの働きが片持ち梁であってよく、カード１が進退する方向と直交する方向に荷重が作用することによってのみ、弾性変形するように構成されている。
【００７９】
図１から図６を参照すると、カバー板３の主面板３１は、一対の第１板ばね片３ａ・３ａと第２板ばね片３ｂを有している。第１板ばね片３ａは、カード１がハウジング２の凹部２１の底面に向かう力を付勢している。第２板ばね片３ｂは、案内棒７の一端部７ａがハート状のカム溝４ａの底面に当接する力を付勢している。又、一方の折り曲げ片３２は、第３板ばね片３ｃを有している。第３板ばね片３ｃは、スライド部材４の傾斜状態を復帰させる力を付勢している（図８参照）。
【００８０】
図１から図９を参照すると、第１板ばね片３ａは、カード１の接続端子１ｂがコンタクト８の接点に向かう力を援助している。第１板ばね片３ａは、カード１の表面を傷つけないように、比較的弱い力でカード１の表面を付勢している。第２板ばね片３ｂは、案内棒７の一端部７ａがハート状のカム溝４ａに確実に追従していく力を援助している。第３板ばね片３ｃは、スライド部材４の動作（姿勢）を援助している。
【００８１】
［カード用コネクタの作用］
次に、実施形態によるコネクタ１０の動作を説明しながら、コネクタ１０の作用及び効果を説明する。先に、カードの装着順序を説明する。
【００８２】
図１０は、前記実施形態によるカード用コネクタの横断面図であり、図１０（Ａ）〜図１０（Ｆ）は、カードの装着に至る状態変化図である。図１１は、前記実施形態によるカード用コネクタの横断面図であり、図１１（Ｇ）・図１１（Ｈ）は、図１０（Ｆ）に続く、カードの装着に至る状態変化図である。
【００８３】
図１０（Ａ）を参照して、カード１を凹部２１に挿入すると、カード１の先端縁１３が板ばね５の屈曲部５ａに当接する。図１０（Ａ）に示された状態では、スライド部材４は、傾動した姿勢を維持している。又、図１０（Ａ）に示された状態では、案内棒７の一端部７ａは、ハート状のカム溝４ａの始点４ｓに位置している（図７参照）。
【００８４】
次に、図１０（Ａ）に示された状態から、カード１を凹部２１の奥側に更に挿入すると、図１０（Ｂ）に示された状態になる。図１０（Ｂ）に示された状態では、カード１の先端縁１３に押されて、板ばね５の屈曲部５ａがカード１から逃げる方向に撓み始める。
【００８５】
次に、図１０（Ｂ）に示された状態から、カード１を凹部２１の奥側に更に挿入すると、図１０（Ｃ）に示された状態になる。図１０（Ｃ）に示された状態では、カード１の先端縁１３（隅部）が板ばね５の屈曲部５ａを乗り越えている。そして、板ばね５の屈曲部５ａの先端部がカード１の一方の側面１１に摺動しながら、カード１が凹部２１の奥側に進行している。
【００８６】
次に、図１０（Ｃ）に示された状態から、カード１を凹部２１の奥側に更に挿入すると、図１０（Ｄ）に示された状態になる。図１０（Ｄ）に示された状態では、カード１の先端縁１３が係合爪４ｂに当接する直前で、板ばね５の屈曲部５ａが復帰して、カード１の溝部１ａに入り始めている。
【００８７】
次に、図１０（Ｄ）に示された状態から、カード１を凹部２１の奥側に更に挿入すると、図１０（Ｅ）に示された状態になる。図１０（Ｅ）に示された状態では、カード１の先端縁１３が係合爪４ｂに当接し、板ばね５の屈曲部５ａが復帰して、カード１の溝部１ａに入っている。
【００８８】
次に、図１０（Ｅ）に示された状態から、圧縮コイルばね６に抗して、カード１を凹部２１の奥側に更に挿入すると、図１０（Ｆ）に示された状態になる。図１０（Ｆ）に示された状態では、係合爪４ｂがカード１に押されて、スライド部材４が凹部２１の奥側に移動している。又、板ばね５の先端部が一方の折り曲げ片３２に当接して、板ばね５の屈曲部５ａがカード１の溝部１ａの内部に入るように、撓み始める。
【００８９】
図１０（Ｆ）に示された状態では、スライド部材４の端縁４１が隔壁２３ｇを乗り越える直前の状態である。又、図１０（Ｅ）に示された状態から、図１０（Ｆ）に示された状態の過程では、案内棒７の一端部７ａは、ハート状のカム溝４ａの始点４ｓから行き行程の軌跡Ａ１に移動している（図７参照）。
【００９０】
次に、図１０（Ｆ）に示された状態から、圧縮コイルばね６に抗して、カード１を凹部２１の奥側に更に挿入すると、図１１（Ｇ）に示された状態になる。図１１（Ｇ）に示された状態では、スライド部材４の端縁４１が隔壁２３ｇを乗り越えて、スライド部材４の傾斜状態が復帰されている。又、図１１（Ｇ）に示された状態では、板ばね５の屈曲部５ａがカード１の溝部１ａに入り込んでいる。
【００９１】
図１１（Ｇ）に示された状態では、圧縮コイルばね６に付勢されて、スライド部材４の端縁４１は、隔壁２３ｇに当接している。図１１（Ｇ）に示された状態で、カード１を解放しても、カード１は、係合爪４ｂと板ばね５の屈曲部５ａとで挟持されているので、移動することが困難である。
【００９２】
又、図１０（Ｆ）の状態から図１１（Ｇ）の状態に変化する過程では、カード１の先端縁１３と係合爪４ｂとの接触点を支点として、圧縮コイルばね６がスライド部材４を時計方向に回動させる力を付勢し、スライド部材４の傾斜状態が復帰されている。なお、図１０（Ｆ）の状態から図１１（Ｇ）の状態に変化する過程では、第３板ばね片３ｃは、スライド部材４の復帰動作を援助している。
【００９３】
図１１（Ｇ）に示された状態から、圧縮コイルばね６に抗して、カード１を凹部２１の奥側に更に挿入すると、図１１（Ｈ）に示された状態になる。図１１（Ｈ）に示された状態では、スライド部材４は、第１案内溝部２１ｇの領域から第２案内溝部２２ｇの領域に移動しており、スライド部材４は、直進運動のみが許容される。
【００９４】
図１１（Ｈ）に示された状態では、カード１に押されて、スライド部材４は、凹部２１の奥側に向かって直進する。一方、図７を参照すると、案内棒７の一端部７ａは、ハート状のカム溝４ａの始点４ｓから行き行程の軌跡Ａ１を移動している。
【００９５】
図７を参照して、スライド部材４の移動に相対して、案内棒７の一端部７ａがハート状のカム溝４ａの頂点に形成されたＶ字溝４ｖに係止することにより、スライド部材４が位置固定される。この場合、図１１（Ｈ）を参照すると、板ばね５の屈曲部５ａがカード１の溝部１ａに入り込んでいることにより、カード１の装着状態が維持される。このようにして、実施形態によるコネクタ１０は、カード１をロックできる。
【００９６】
次に、カードの排出順序を説明する。図１２は、前記実施形態によるカード用コネクタの横断面図であり、図１２（Ａ）〜図１２（Ｅ）は、カードの排出に至る状態変化図である。図１３は、前記実施形態によるカード用コネクタの横断面図であり、図１３（Ｆ）・図１３（Ｇ）は、図１２（Ｅ）に続く、カードの排出に至る状態変化図である。
【００９７】
図７を参照して、案内棒７の一端部７ａがハート状のカム溝４ａのＶ字溝４ｖに係止した、カード１の装着状態から、カード１を一旦押すと、案内棒７の一端部７ａは、Ｖ字溝４ｖから解放されて、帰り行程の軌跡Ａ２に移動する。
【００９８】
図１２（Ａ）を参照すると、圧縮コイルばね６に付勢されて、スライド部材４は、カード１を凹部２１の開口側に移動させる。なお、図１２（Ａ）に示されるように、スライド部材４の帰り行程では、スライド部材４は、カード１の挿抜方向と平行する方向に移動する運動が維持される。
【００９９】
図１２（Ｂ）を参照すると、スライド部材４は、その端縁４１が隔壁２３ｇに当接して停止している。なお、図１２（Ｂ）に示された状態は、図１０（Ｆ）に示された状態と同じである。又、図７を参照して、案内棒７の一端部７ａは、ハート状のカム溝４ａの始点４ｓに戻る直前で停止している。
【０１００】
図１２（Ｃ）を参照すると、カード１は、係合爪４ｂに引きずられて、スライド部材４と共に排出方向に移動するが、板ばね５の屈曲部５ａがカード１の溝部１ａに係合しているので、カード１の飛び出しが防止される。
【０１０１】
図１２（Ｃ）を参照すると、カード１が板ばね５の屈曲部５ａに与える衝撃力は、カード１の移動速度と質量に依存するが、カード１の質量は十分に小さいので、板ばね５の屈曲部５ａを変位させるには至らない。
【０１０２】
図１２（Ｃ）に示された状態から、カード１を比較的弱い力で引っ張ると、図１２（Ｄ）に示されるように、カード１の溝部１ａが板ばね５の屈曲部５ａの先端部を押すことにより、スライド部材４を傾動させる。そして、板ばね５の屈曲部５ａがカード１の溝部１ａから退避し始める。
【０１０３】
図１２（Ｄ）に示された状態から、カード１を更に引っ張ると、図１２（Ｅ）に示された状態になる。図１２（Ｅ）に示された状態では、スライド部材４は、第１案内溝部２１ｇに保持された初期の傾動状態に戻っている。又、図７を参照して、案内棒７の一端部７ａは、ハート状のカム溝４ａの始点４ｓに戻っている。
【０１０４】
図１２（Ｅ）に示された状態は、図１０（Ｅ）に示された状態と略同じであり、板ばね５の屈曲部５ａがカード１の溝部１ａの内部に僅かに入っている。図１２（Ｅ）に示された状態から、カード１を更に引っ張ると、図１３（Ｆ）に示された状態になる。
【０１０５】
図１３（Ｆ）に示された状態では、カード１の先端縁１３（隅部）が板ばね５の屈曲部５ａを乗り越えている。そして、板ばね５の屈曲部５ａの先端部がカード１の一方の側面１１に摺動しながら、カード１が凹部２１の開口側に移動している。
【０１０６】
又、図１３（Ｆ）に示された状態では、カード１の一方の側面１１に押されて、板ばね５の屈曲部５ａがカード１から逃げる方向に撓んでいる。反作用として、板ばね５の屈曲部５ａは、カード１の一方の側面１１に力を付勢している。
【０１０７】
図１３（Ｆ）に示された状態から、カード１を更に引っ張ると、図１３（Ｇ）に示されるように、カード１が凹部２１から排出された状態になる。そして、カード１をコネクタ１０から取り出すことができる。
【０１０８】
実施形態によるコネクタ１０は、カード１が不用意に飛び出すことなく、排出方向に確実に停止できる。又、実施形態によるコネクタ１０は、板ばね５がカード１の板厚方向に力を付勢しているので、カード１の表面を傷つけることを抑制できる。
【符号の説明】
【０１０９】
１  カード
１ａ  溝部（カードの溝部）
２  ハウジング
３  カバー板
４  スライド部材
４ａ  ハート状のカム溝
４ｂ  係合爪
４ｓ  始点
４ｖ  Ｖ字溝
５  板ばね
５ａ  屈曲部
６  圧縮コイルばね
７  案内棒
７ａ  一端部（案内棒の一端部）
７ｂ  他端部（案内棒の他端部）
１０  コネクタ（カード用コネクタ）
１１  側面（カードの一方の側面）
１３  先端縁（カードの先端縁）
２１  凹部
２１ｇ  第１案内溝部
２２ｇ  第２案内溝部
２３ｇ  隔壁
【図１】
0005623204.tif 000002
【図２】
0005623204.tif 000003
【図３】
0005623204.tif 000004
【図４】
0005623204.tif 000005
【図５】
0005623204.tif 000006
【図６】
0005623204.tif 000007
【図７】
0005623204.tif 000008
【図８】
0005623204.tif 000009
【図９】
0005623204.tif 000010
【図１０】
0005623204.tif 000011
【図１１】
0005623204.tif 000012
【図１２】
0005623204.tif 000013
【図１３】
0005623204.tif 000014